(57)【要約】    【課題】  携帯電話の表示器に傷つけることがない光学的情報読取装置を提供する。    【解決手段】  光学的情報読取装置１０の読み取り口１２に緩衝材２０が設けられているので、緩衝材２０上に携帯電話５０を置かせれる。これにより、携帯電話５０が水平状態なると共に、携帯電話５０と読み取り口１２との距離が一定となって、表示されたＱＲコードＱからなる光学的情報を確実に読み取ることができる。ここで、操作者が携帯電話５０を光学的情報読取装置１０の読み取り口１２に押し当てても、緩衝材２０で緩衝され、携帯電話５０の表示器５２が読み取り口１２に直接当たることが無く、更に強く携帯電話５０を押し当てても、緩衝材２０を支持する支柱１６が縮むことにより、携帯電話５０の表示器５２が読み取り口１２に当たって、傷付くことが無くなる。【選択図】  図１
2007188304.tif 000002
【特許請求の範囲】
【請求項１】
携帯電話に表示された光学的情報を読み取り口を介して読み取る光学的情報読取装置であって、
前記読み取り口の回りに伸縮可能な支柱を介して前記携帯電話と当接する緩衝材を設けたことを特徴とする光学的情報読取装置。
【請求項２】
携帯電話に表示された光学的情報を読み取り口を介して読み取る光学的情報読取装置であって、
前記読み取り口の回りにく字形状の携帯電話と当接する湾曲形状の緩衝材を設けたことを特徴とする光学的情報読取装置。
【請求項３】
前記緩衝材に圧力センサを配置し、
前記圧力センサにより前記携帯電話が検出された際に、光学的情報の読み取りを開始することを特徴とする請求項１又は請求項２の光学的情報読取装置。
【発明の詳細な説明】
【技術分野】
【０００１】
本発明は、光学情報コードを読み取るための光学的情報読取装置に関し、特に、携帯電話に表示された光学的情報を読み取り口を介して読み取る光学的情報読取装置に関するものである。
【背景技術】
【０００２】
現在、光学的情報の新たな使用形態として、携帯電話にＱＲコード（登録商標）を表示させ、据え置き型の光学的情報読取装置で読み取ることが行われている。例えば、携帯電話にＱＲコードを配信し、コンサート開場において、携帯電話に表示されたＱＲコードを光学的情報読取装置で読み取ることでチケットの代わりをさせる等の態様で使用されている。ここで、読取窓に緩衝材を設けたハンディータイプのバーコードリーダが特許文献１に開示されている。
【特許文献１】特開２００１−３４７００号公報
【発明の開示】
【発明が解決しようとする課題】
【０００３】
係る使用態様において、使用者は、携帯電話の表示器が光学的情報読取装置の読み取り口に当たって傷が付くのをおそれ、携帯電話を手に持ったまま読み取り口にかざしている。このため、携帯電話を水平状態に出来なかったり、読み取り口からの距離が離れてしまい、携帯電話に表示されたＱＲコードをなかなか読みとれないことがある。ここで、読み取り口の回りにウレタン等の緩衝材を配置し、光学的情報読取装置の読み取り口の上に携帯電話を置かせることで、ＱＲコードの読み取りを行うことも考えられる。
【０００４】
しかしながら、光学的情報読取装置の読み取り口の上に携帯電話を置かせるようにすると、使用者によっては、携帯電話を光学的情報読取装置の読み取り口に押し付け、携帯電話の表示器が読み取り口に当たって傷つくことが予想された。
【０００５】
また、折り畳み式の携帯電話では、開いた状態でく字状に曲がっているものもある。係るく字状の携帯電話では、ＱＲコードを表示する表示器を、読み取り口に対して読み取り可能なレベルの略平行状態に出来ず、表示されたＱＲコードをなかなか読みとれないことがある。
【０００６】
本発明は、上述した課題を解決するためになされたものであり、その目的とするところは、携帯電話の表示器に傷つけることがない光学的情報読取装置を提供することにある。
【０００７】
また、く字状の折り畳み式携帯電話に表示させた光学的情報を容易に読み取れる光学的情報読取装置を提供することにある。
【課題を解決するための手段】
【０００８】
上記目的を達成するため請求項１は、携帯電話５０に表示された光学的情報Ｑを読み取り口１２を介して読み取る光学的情報読取装置１０であって、
前記読み取り口１２の回りに伸縮可能な支柱１６を介して前記携帯電話５０と当接する緩衝材２０を設けたことを技術的特徴とする。
【０００９】
また、請求項２は、携帯電話５０に表示された光学的情報Ｑを読み取り口１２を介して読み取る光学的情報読取装置１０であって、
前記読み取り口１２の回りにく字形状の携帯電話５０と当接する湾曲形状の緩衝材２０を設けたことを技術的特徴とする。
【発明の効果】
【００１０】
請求項１の光学的情報読取装置１０では、光学的情報読取装置１０の読み取り口１２の回りに携帯電話５０と当接する緩衝材２０が設けられているので、光学的情報読取装置１０の緩衝材２０上に携帯電話５０を置かせれる。これにより、携帯電話５０が水平状態なると共に、携帯電話５０の表示器５２と読み取り口１２との距離が一定となって、表示されたＱＲコードを確実に読み取ることができる。ここで、操作者が携帯電話５０を光学的情報読取装置１０の読み取り口１２に押し当てても、緩衝材２０で緩衝され、携帯電話５０の表示器５２が読み取り口１２に直接当たることが無く、更に強く携帯電話５０を押し当てても、緩衝材２０を支持する支柱１６が縮むことにより、携帯電話５０の表示器５２が読み取り口１２に当たって、傷付くことが無くなる。
【００１１】
請求項２の光学的情報読取装置１０では、光学的情報読取装置１０の読み取り口１２の回りに、く字形状の折り畳み式携帯電話５０Ｂと当接する湾曲形状の緩衝材２０が設けられているので、く字形状の折り畳み式携帯電話５０Ｂを湾曲形状の緩衝材２０に当接させることで読み取り口１２に対して位置決めでき、携帯電話５０Ｂに表示された光学的情報Ｑを容易に光学的情報読取装置１０に読み取らせることができる。
【００１２】
請求項３の光学的情報読取装置１０では、緩衝材２０に配置された圧力センサ２４により携帯電話５０、５０Ｂが緩衝材２０に載置されたことが検出された際に、光学的情報Ｑの読み取りを開始するため、操作者は単に携帯電話５０、５０Ｂを緩衝材２０に乗せるだけで、携帯電話５０、５０Ｂに表示された光学的情報Ｑを光学的情報読取装置１０に読み取らせることができる。
【発明を実施するための最良の形態】
【００１３】
[第１実施形態]
以下、本発明の光学的情報読取装置を据え置き型の２次元コードリーダに適用した第１実施形態を図１及び図５に基づいて説明する。図１（Ａ）は、２次元コードリーダ１０を示す斜視図であり、図１（Ｂ）は、２次元コードリーダ１０に携帯電話５０が置かれた状態を示す斜視図であり、図１（Ｃ）は、図１（Ａ）中の２次元コードリーダ１０のＣ−Ｃ断面図である。
【００１４】
２次元コードリーダ１０は、略台形形状の樹脂製筐体１１の上面に矩形形状のガラス製読み取り口１２を備えてなる。読み取り口１２の長手方向の側辺近傍には支柱１６に支持される板状緩衝材２０が設けられている。図１（Ｃ）中に示すように支柱１６には長溝１６ａが形成され、該長溝１６ａを筐体１１側に固定された摺動桿１８が挿通しており、該摺動桿１８の上側に圧縮バネ１４が収容されている。支柱１６の上部は、筐体１１の上面に穿設された通孔１１ａにより摺動可能に支持されている。即ち、通孔１１ａ及び摺動桿１８によって、支柱１６は筐体１１に対して上下方向に伸縮可能に保持され、また、圧縮バネ１４によって上方に付勢されている。これにより、支柱１６に支持された緩衝材２０が上下動し得る。一方、緩衝材２０は、可撓性を有するウレタン製の上板２６と、硬質樹脂製の下板２２と、上板２６と下板２２との間に挟まれた圧力センサ２４とから成る。圧力センサ２４は、緩衝材２０上に携帯電話５０が置かれたことを検出する。なお、圧縮バネ１４の付勢力は、携帯電話５０が緩衝材２０に載置された状態でも図１（Ｃ）に示すように緩衝材２０の下面が筐体１１の上面から離れ、携帯電話５０が筐体１１側へ押し当てられた際の力を緩衝できるように設定されている。
【００１５】
図５は２次元コードリーダ１０の概要構成を示すブロック図である。
２次元コードリーダ１０は、携帯電話５０の表示器５２に表示されたＱＲコードＱに照明光を照射する照明６０と、該照明６０を点灯させる照明駆動回路７４と、ＱＲコードＱからの反射光を結像させるレンズ６２と、結像されたＱＲコードＱを電気信号に変換する光学的センサ６４と、光学的センサ６４からの信号を増幅・波形整形する波形整形部６８と、波形整形された信号をデコードしてＱＲコードの情報を読み出すマイクロコンピュータデコード処理部７０と、デコードされた情報を保持すると共にマイクロコンピュータデコード処理部７０の制御用プログラムを保持するメモリ６６と、デコードされた情報を図示しないコンピュータ側へ出力するデータ出力部７６と、光学的センサ６４を駆動するセンサ駆動回路７２と、マイクロコンピュータデコード処理部７０へＡＣアダプタ８０の電圧を降圧して供給する電源回路８２とを有する。圧力センサ２４からの携帯電話検出信号は、マイクロコンピュータデコード処理部７０に入力されるようになっている。
【００１６】
ここで、図１（Ａ）に示すように操作者に保持された携帯電話５０が、図１（Ｂ）に示すように緩衝材２０上に置かれると、圧力センサ２４から検出信号がマイクロコンピュータデコード処理部７０へ送られ、マイクロコンピュータデコード処理部７０は、照明駆動回路７４を介して照明６０を点灯し、照明光を携帯電話５０の表示器５２に表示されたＱＲコードＱに照射させる。ＱＲコードＱからの反射光がレンズ６２によって光学的センサ６４に結像され、該光学的センサ６４で光電変換された電気信号が、波形整形部６８で増幅、波形整形されてマイクロコンピュータデコード処理部７０へ出力される。マイクロコンピュータデコード処理部７０では、電気信号をデコード処理し、デコード結果をデータ出力部７６を介してコンピュータ側へ出力させる。
【００１７】
第１実施形態では、２次元コードリーダ１０の読み取り口１２の回りに緩衝材２０が設けられ、携帯電話５０を緩衝材２０上に置かせることができる。これにより、携帯電話５０が水平状態になると共に、携帯電話５０の表示器５２と読み取り口１２との距離が一定となって、表示されたＱＲコードを確実に読み取ることができる。ここで、操作者が携帯電話５０を２次元コードリーダ１０の読み取り口１２に押し当てても、緩衝材２０で緩衝され、携帯電話５０の表示器５２が読み取り口１２に直接当たることが無く、更に強く携帯電話５０を押し当てても、緩衝材２０を支持する支柱１６が縮む（下がる）ことにより力を緩衝し、携帯電話５０の表示器５２が読み取り口１２に当たって、傷付くことが無くなる。
【００１８】
また、第１実施形態では、緩衝材２０に配置された圧力センサ２４により携帯電話５０が緩衝材２０に載置されたことが検出された際に、ＱＲコードＱの読み取りを開始するため、操作者は単に携帯電話５０を緩衝材２０に乗せるだけで、携帯電話５０に表示されたＱＲコードＱを光学的情報読取装置１０に読み取らせることができる。
【００１９】
[第１実施形態の改変例]
図２に第１実施形態の改変例に係る２次元コードリーダ１０を示す。
第１実施形態の改変例では、緩衝材２０が矩形枠条に形成されて、緩衝材２０中央の窓部２０Ａを介して、読み取り口１２を望むように構成されている。第１実施形態の改変例では、表示部５２のみでなく、携帯電話５０全体が２次元コードリーダ１０の筐体１１に触れて傷付くことがない。また、緩衝材２０及び携帯電話５０により外来光が遮断され、読み取りが外来光による影響を受けないという利点もある。
【００２０】
[第２実施形態]
図３（Ａ）を参照して第２実施形態に係る２次元コードリーダ１０について説明する。
図１（Ａ）を参照して上述した第１実施形態の２次元コードリーダ１０は、緩衝材２０が平板状に形成されていた。これに対して、第２実施形態の２次元コードリーダ１０では、緩衝材２０が、く字形状の折り畳み式携帯電話５０Ｂと当接するように中央部が突出する湾曲形状に形成されている。また、第２実施形態では、伸縮する支柱が設けられていない。なお、第２実施形態においても緩衝材２０内に圧力センサ２４が収容され、携帯電話５０が緩衝材２０に載置されたことが検出された際に読み取りを開始する。また、図５を参照して上述したレンズ６２及び光学的センサ６４は、若干傾斜した状態で緩衝材２０に当接された携帯電話５０Ｂの表示器５２と平行な位置関係となるように傾斜を持たせて配置されている。他の構成は、図５を参照して上述した第１実施形態と同様であるため、説明を省略する。
【００２１】
第２実施形態の２次元コードリーダ１０では、光学的情報読取装置１０の読み取り口１２の回りに、く字形状の折り畳み式携帯電話５０Ｂと当接する湾曲形状の緩衝材２０が設けられている。このため、く字形状の折り畳み式携帯電話５０Ｂを湾曲形状の緩衝材２０に当接させることで読み取り口１２に対して位置決めでき、携帯電話５０Ｂに表示されたＱＲコードＱを容易に光学的情報読取装置１０で読み取らせることができる。
【００２２】
[第２実施形態の改変例]
図３（Ｂ）を参照して第２実施形態の改変例に係る２次元コードリーダ１０について説明する。
図３（Ａ）を参照して上述した第２実施形態の２次元コードリーダ１０では、緩衝材２０自体が中央の突出する蒲鉾形状に形成されていた。これに対して、第２実施形態の改変例の２次元コードリーダ１０は、緩衝材２０の両端が筐体１１上面に固定され、中央部が支柱１６により持ち上げられた板状部材から成る。この第２実施形態の改変例の２次元コードリーダ１０では、く字形状の折り畳み式携帯電話５０Ｂを湾曲させた緩衝材２０に当接させることで読み取り口１２に対して位置決めでき、また、図１を参照して上述した平板型携帯電話５０が搭載された際には、支柱１６が筐体１１内に収容され、図１（Ｂ）を参照して上述した第１実施形態と同様になり、緩衝材２０上に読み取り口１２と平行に携帯電話５０が保持されるように構成されている。第２実施形態の改変例では、折り畳み式携帯電話５０Ｂのみならず、平板型携帯電話５０に表示されたＱＲコードＱをも容易に読みとれる利点がある。
【００２３】
[第３実施形態]
図４を参照して第３実施形態に係る２次元コードリーダ１０について説明する。
第１、第２実施形態の２次元コードリーダ１０は、上面に読み取り口１２が設けられた。これに対して、第３実施形態では、下面に読み取り口１２が設けられるオーバーヘッドスキャナーとして構成されている。
【００２４】
第３実施形態の２次元コードリーダ１０では、図４（Ａ）に示すように使用者が、携帯電話５０Ｂの表示器５２を上向けた状態で、図４（Ｂ）に示すように、携帯電話５０Ｂにより緩衝材２０を持ち上げることで、緩衝材２０内に収容された圧力センサ２４によって読み取りが開始される。
【００２５】
第３実施形態の２次元コードリーダ１０では、使用者が表示器５２にＱＲコードＱが表示されていることを確認した状態、即ち、表示器５２を上向けた状態で、そのまま２次元コードリーダ１０にてＱＲコードＱを読みとれるため、使用者が手首を返して表示器を下向けさせる必要がない。また、読み取り口１２が下面に配置されているため、外来光が直接入射することがなく、読み取りが外来光による影響を受け難いという利点もある。
【産業上の利用可能性】
【００２６】
上述した実施形態では、緩衝材２０に圧力センサ２４を収容させたが、支柱１６に設けたスイッチにより緩衝材２０が押圧されたことを検出することもできる。また、携帯電話を検出するのではなく、読み取り口１２の視野内にＱＲコードＱが検知された際に、ＱＲコードＱの読み込みを開始するように構成することも可能である。
【図面の簡単な説明】
【００２７】
【図１】図１（Ａ）は第１実施形態に係る２次元コードリーダを示す斜視図であり、図１（Ｂ）は２次元コードリーダに携帯電話が置かれた状態を示す斜視図であり、図１（Ｃ）は２次元コードリーダの断面図である。
【図２】第１実施形態の改変例に係る２次元コードリーダの斜視図である。
【図３】図３（Ａ）は第２実施形態に係る２次元コードリーダの斜視図であり、図３（Ｂ）は第２実施形態の改変例に係る２次元コードリーダの斜視図である。
【図４】図４（Ａ）、図４（Ｂ）は第３実施形態の２次元コードリーダの斜視図である。
【図５】２次元コードリーダの概要構成を示すブロック図である。
【符号の説明】
【００２８】
１０  ２次元コードリーダ（光学的情報読取装置）
１２  読み取り口
２０  緩衝材
２４  圧力センサ
５０  携帯電話
５０Ｂ  折り畳み式携帯電話
５２  表示器
６４  光学的センサ
７０  マイクロコンピュータデコード処理部
Ｑ  ＱＲコード（光学的情報）
【図１】
2007188304.tif 000003
【図２】
2007188304.tif 000004
【図３】
2007188304.tif 000005
【図４】
2007188304.tif 000006
【図５】
2007188304.tif 000007